(57)【要約】【課題】収集した地域情報を円滑な経営活動に効果的に活用することができる地域情報管理システムおよび方法を提供する。【解決手段】地域情報管理研修システム１では、地域情報管理研修サーバ１０は、研修を受ける社員の社員番号を第１の端末装置３１から受信すると、この社員番号に基づいて社員情報データベース２０を検索してこの社員の過去の受験歴，過去に受けた試験の問題およびその正答状況を取得するとともに、地域情報データベース２１から地域情報を取り出し、この取得した過去の受験歴，過去に受けた試験の問題およびその正答状況を参照してこの取り出した地域情報に関するこの社員のレベルに合った問題（未だ正答していない問題や過去に受けていない問題など）とこの問題に対する回答肢とを作成し、作成した問題および回答肢を第１の端末装置３１に送信して表示させる。【選択図】  図１
2005267315.tif 000002
【特許請求の範囲】
【請求項１】
地域情報管理研修サーバ（１０）と、
該地域情報管理研修サーバに接続されたかつ各社員の社員識別子，過去の受験歴，過去に受けた試験の問題およびその正答状況が格納された社員情報データベース（２０）と、
前記地域情報管理研修サーバに接続されたかつ地域情報が格納された地域情報データベース（２１）と、
前記地域情報管理研修サーバと相互接続されたかつ研修を受ける社員が使用する端末装置（３１〜３３）と、
を具備し、
前記地域情報管理研修サーバが、
前記端末装置から前記研修を受ける社員の社員識別子を受信すると、該受信した社員識別子に基づいて前記社員情報データベースを検索して該研修を受ける社員の過去の受験歴，過去に受けた試験の問題およびその正答状況を取得するとともに、前記地域情報データベースから地域情報を取り出し、
前記取得した過去の受験歴，過去に受けた試験の問題およびその正答状況を参照して前記取り出した地域情報に関する前記研修を受ける社員のレベルに合った問題を作成し、該作成した問題を前記端末装置に送信して表示させる、
ことを特徴とする、地域情報管理研修システム。
【請求項２】
前記地域情報管理研修サーバに接続されたかつ地域情報を大分類および小分類に分類分けした地域情報分類表が格納された地域情報分析マスターデータベース（２２）と、
前記地域情報管理研修サーバに接続されたかつ地域情報の対策レベルおよび情報配信レベルを大分類および小分類ごとに示す地域情報対策表が格納された地域情報対策マスターデータベース（２３）と、
前記地域情報管理研修サーバに接続されたかつ組織ごとに識別子が予め決められた組織表が格納された組織データベース（２４）と、
をさらに具備し、
前記地域情報管理研修サーバが、
前記地域情報データベースから取り出した地域情報の内容を分析して、前記地域情報分析マスターデーベースに格納されている前記地域情報分類表を参照して、前記取り出した地域情報が社内関係箇所に通知すべき情報か否かを判定したのち、該取り出した地域情報が社内関係箇所に通知すべき情報である場合にはその地域情報を分類分けし、
前記取り出した地域情報の分類に基づいて、前記地域情報対策マスターデータベースに格納されている前記地域情報対策表を参照して該取り出した地域情報の対策レベルおよび情報配信レベルを決定し、
前記対策レベルおよび前記情報配信レベルに基づいて、前記地域情報対策表と前記組織データベースに格納されている前記組織表とを参照して、前記取り出した地域情報を配信すべき組織を決定し、
前記取り出した地域情報の分類分け，前記対策レベル，前記情報配信レベルおよび前記配信すべき組織に基づいて、該取り出した地域情報に関する前記研修を受ける社員のレベルに合った問題を作成する、
ことを特徴とする、請求項１記載の地域情報管理研修システム。
【請求項３】
前記組織ごとの識別子が、前記対策レベルおよび前記情報配信レベルと同じビット数で表されており、
前記対策レベルおよび前記情報配信レベルの各ビットが、前記組織ごとの識別子の各ビットと関連付けられている、
ことを特徴とする、請求項２記載の地域情報管理研修システム。
【請求項４】
前記対策レベルが、該対策レベルの“１”のビットに対応するビットが“１”の前記識別子を有する組織が前記地域情報の対策に関連することを示すように定義付けられており、
前記情報配信レベルが、前記情報配信レベルの“１”のビットに対応するビットが“１”の前記識別子を有する組織に前記地域情報が配信されるように定義付けられている、
ことを特徴とする、請求項３記載の地域情報管理研修システム。
【請求項５】
研修を受ける社員の社員識別子を端末装置から地域情報管理研修サーバに送信するステップ（Ｓ１１）と、
前記地域情報管理研修サーバが、前記受信した社員識別子に基づいて各社員の社員識別子，過去の受験歴，過去に受けた試験の問題およびその正答状況が格納された社員情報データベースを検索して前記研修を受ける社員の過去の受験歴，過去に受けた試験の問題およびその正答状況を取得し、地域情報が格納された地域情報データベースから地域情報を取り出し、前記取得した過去の受験歴，過去に受けた試験の問題およびその正答状況を参照して前記取り出した地域情報に関する前記研修を受ける社員のレベルに合った問題を作成するステップ（Ｓ１２〜Ｓ１５）と、
前記地域情報管理研修サーバが、前記作成した問題を前記端末装置に送信して表示させるステップ（Ｓ１６）と、
前記端末装置から前記地域情報管理研修サーバに前記作成した問題に対する回答を送信するステップ（Ｓ１７）と、
前記地域情報管理研修サーバが、受信した前記回答に基づいて採点し、採点した結果を前記端末装置に送信して表示させるとともに前記社員情報データベースに格納するステップ（Ｓ１８）と、
を備えることを特徴とする、地域情報管理研修方法。
【請求項６】
前記研修を受ける社員のレベルに合った問題を作成するステップが、
前記地域情報管理研修サーバが、前記取り出した地域情報の内容を分析して、地域情報分析マスターデーベースに格納されたかつ地域情報を大分類および小分類に分類分けした地域情報分類表を参照して、該取り出した地域情報が社内関係箇所に通知すべき情報か否かを判定したのち、該取り出した地域情報が社内関係箇所に通知すべき情報である場合にはその地域情報を分類分けするステップ（Ｓ１２）と、
前記地域情報管理研修サーバが、前記取り出した地域情報の分類に基づいて、地域情報対策マスターデータベースに格納されたかつ地域情報の対策レベルおよび情報配信レベルを大分類および小分類ごとに示す地域情報対策表を参照して、前記取り出した地域情報の対策レベルおよび情報配信レベルを決定するステップ（Ｓ１３）と、
前記地域情報管理研修サーバが、前記対策レベルおよび前記情報配信レベルに基づいて、前記地域情報対策表と組織データベースに格納されたかつ組織ごとに識別子が予め決められた組織表とを参照して、前記取り出した地域情報を配信すべき組織を決定するステップ（Ｓ１４）と、
前記地域情報管理研修サーバが、前記取り出した地域情報の分類分け，前記対策レベル，前記情報配信レベルおよび前記配信すべき組織に基づいて、該取り出した地域情報に関する前記研修を受ける社員のレベルに合った問題を作成するステップ（Ｓ１５）と、
を含むことを特徴とする、請求項５記載の地域情報管理研修方法。
【請求項７】
前記組織ごとの識別子が、前記対策レベルおよび前記情報配信レベルと同じビット数で表されており、
前記対策レベルおよび前記情報配信レベルの各ビットが、前記組織ごとの識別子の各ビットと関連付けられている、
ことを特徴とする、請求項６記載の地域情報管理研修方法。
【請求項８】
前記対策レベルが、該対策レベルの“１”のビットに対応するビットが“１”の前記識別子を有する組織が前記地域情報の対策に関連することを示すように定義付けられており、
前記情報配信レベルが、前記情報配信レベルの“１”のビットに対応するビットが“１”の前記識別子を有する組織に前記地域情報が配信されるように定義付けられている、
ことを特徴とする、請求項７記載の地域情報管理研修方法。
【発明の詳細な説明】
【技術分野】
【０００１】
本発明は、地域情報管理研修システムおよび方法に関し、特に、会社経営において収集した地域情報に基づいて迅速かつ的確な情報関係業務の運営を行うのに好適な地域情報管理研修システムおよび方法に関する。
【背景技術】
【０００２】
会社経営においては、以下に示すような地域情報の収集，分析および周知などによって迅速かつ的確な情報関係業務の運営を図ることにより、経営活動の円滑な推進を図ることが重要である。そのためには、地域情報の収集，分析および周知などに関する社員の研修を行って地域情報の取扱いを周知徹底させる必要がある。
（１）会社の事業経営に係わる地域社会の出来事
（２）地域社会に係わる会社の業務運営上の出来事
（３）その他、会社内に周知する事柄
【０００３】
なお、電力会社，電気事業者，ガス会社およびそれらの顧客間で情報を統合的ないしは集中的に収集，配信および管理可能な拡張性の高い情報管理システムとして、以下に示す特許文献１に記載されたものが提案されており、また、需要家が給電系統や雷情報に関するデータを閲覧できるようにした需要家への情報提供サーバとして、以下に示す特許文献２に記載されたものが提案されている。
【特許文献１】特開２００２−３００７２４号公報
【特許文献２】特開２００３−９３９２号公報
【発明の開示】
【発明が解決しようとする課題】
【０００４】
一般に地域情報の収集，分析および周知などに関する社員の研修は担当部署で個々に行われているが、地域情報を円滑な経営活動に効果的に活用するためには、社員の研修を効率的に行って地域情報の取扱いを周知徹底させることが望ましい。
【０００５】
本発明の目的は、地域情報の収集，分析および周知などに関する社員の研修を効率的に行うことができる地域情報管理研修システムおよび方法を提供することにある。
【課題を解決するための手段】
【０００６】
本発明の地域情報管理研修システムは、地域情報管理研修サーバ（１０）と、該地域情報管理研修サーバに接続されたかつ各社員の社員識別子，過去の受験歴，過去に受けた試験の問題およびその正答状況が格納された社員情報データベース（２０）と、前記地域情報管理研修サーバに接続されたかつ地域情報が格納された地域情報データベース（２１）と、前記地域情報管理研修サーバと相互接続されたかつ研修を受ける社員が使用する端末装置（３１〜３３）とを具備し、前記地域情報管理研修サーバが、前記端末装置から前記研修を受ける社員の社員識別子を受信すると、該受信した社員識別子に基づいて前記社員情報データベースを検索して該研修を受ける社員の過去の受験歴，過去に受けた試験の問題およびその正答状況を取得するとともに、前記地域情報データベースから地域情報を取り出し、前記取得した過去の受験歴，過去に受けた試験の問題およびその正答状況を参照して前記取り出した地域情報に関する前記研修を受ける社員のレベルに合った問題を作成し、該作成した問題を前記端末装置に送信して表示させることを特徴とする。
ここで、前記地域情報管理研修サーバに接続されたかつ地域情報を大分類および小分類に分類分けした地域情報分類表が格納された地域情報分析マスターデータベース（２２）と、前記地域情報管理研修サーバに接続されたかつ地域情報の対策レベルおよび情報配信レベルを大分類および小分類ごとに示す地域情報対策表が格納された地域情報対策マスターデータベース（２３）と、前記地域情報管理研修サーバに接続されたかつ組織ごとに識別子が予め決められた組織表が格納された組織データベース（２４）とをさらに具備し、前記地域情報管理研修サーバが、前記地域情報データベースから取り出した地域情報の内容を分析して、前記地域情報分析マスターデーベースに格納されている前記地域情報分類表を参照して、前記取り出した地域情報が社内関係箇所に通知すべき情報か否かを判定したのち、該取り出した地域情報が社内関係箇所に通知すべき情報である場合にはその地域情報を分類分けし、前記取り出した地域情報の分類に基づいて、前記地域情報対策マスターデータベースに格納されている前記地域情報対策表を参照して該取り出した地域情報の対策レベルおよび情報配信レベルを決定し、前記対策レベルおよび前記情報配信レベルに基づいて、前記地域情報対策表と前記組織データベースに格納されている前記組織表とを参照して、前記取り出した地域情報を配信すべき組織を決定し、前記取り出した地域情報の分類分け，前記対策レベル，前記情報配信レベルおよび前記配信すべき組織に基づいて、該取り出した地域情報に関する前記研修を受ける社員のレベルに合った問題を作成してもよい。
また、前記組織ごとの識別子が、前記対策レベルおよび前記情報配信レベルと同じビット数で表されており、前記対策レベルおよび前記情報配信レベルの各ビットが、前記組織ごとの識別子の各ビットと関連付けられていてもよい。
さらに、前記対策レベルが、該対策レベルの“１”のビットに対応するビットが“１”の前記識別子を有する組織が前記地域情報の対策に関連することを示すように定義付けられており、前記情報配信レベルが、前記情報配信レベルの“１”のビットに対応するビットが“１”の前記識別子を有する組織に前記地域情報が配信されるように定義付けられていてもよい。
【０００７】
本発明の地域情報管理研修方法は、研修を受ける社員の社員識別子を端末装置から地域情報管理研修サーバに送信するステップ（Ｓ１１）と、前記地域情報管理研修サーバが、前記受信した社員識別子に基づいて各社員の社員識別子，過去の受験歴，過去に受けた試験の問題およびその正答状況が格納された社員情報データベースを検索して前記研修を受ける社員の過去の受験歴，過去に受けた試験の問題およびその正答状況を取得し、地域情報が格納された地域情報データベースから地域情報を取り出し、前記取得した過去の受験歴，過去に受けた試験の問題およびその正答状況を参照して前記取り出した地域情報に関する前記研修を受ける社員のレベルに合った問題を作成するステップ（Ｓ１２〜Ｓ１５）と、前記地域情報管理研修サーバが、前記作成した問題を前記端末装置に送信して表示させるステップ（Ｓ１６）と、前記端末装置から前記地域情報管理研修サーバに前記作成した問題に対する回答を送信するステップ（Ｓ１７）と、前記地域情報管理研修サーバが、受信した前記回答に基づいて採点し、採点した結果を前記端末装置に送信して表示させるとともに前記社員情報データベースに格納するステップ（Ｓ１８）とを備えることを特徴とする。
ここで、前記研修を受ける社員のレベルに合った問題を作成するステップが、前記地域情報管理研修サーバが、前記取り出した地域情報の内容を分析して、地域情報分析マスターデーベースに格納されたかつ地域情報を大分類および小分類に分類分けした地域情報分類表を参照して、該取り出した地域情報が社内関係箇所に通知すべき情報か否かを判定したのち、該取り出した地域情報が社内関係箇所に通知すべき情報である場合にはその地域情報を分類分けするステップ（Ｓ１２）と、前記地域情報管理研修サーバが、前記取り出した地域情報の分類に基づいて、地域情報対策マスターデータベースに格納されたかつ地域情報の対策レベルおよび情報配信レベルを大分類および小分類ごとに示す地域情報対策表を参照して、前記取り出した地域情報の対策レベルおよび情報配信レベルを決定するステップ（Ｓ１３）と、前記地域情報管理研修サーバが、前記対策レベルおよび前記情報配信レベルに基づいて、前記地域情報対策表と組織データベースに格納されたかつ組織ごとに識別子が予め決められた組織表とを参照して、前記取り出した地域情報を配信すべき組織を決定するステップ（Ｓ１４）と、前記地域情報管理研修サーバが、前記取り出した地域情報の分類分け，前記対策レベル，前記情報配信レベルおよび前記配信すべき組織に基づいて、該取り出した地域情報に関する前記研修を受ける社員のレベルに合った問題を作成するステップ（Ｓ１５）とを含んでもよい。
また、前記組織ごとの識別子が、前記対策レベルおよび前記情報配信レベルと同じビット数で表されており、前記対策レベルおよび前記情報配信レベルの各ビットが、前記組織ごとの識別子の各ビットと関連付けられていてもよい。
さらに、前記対策レベルが、該対策レベルの“１”のビットに対応するビットが“１”の前記識別子を有する組織が前記地域情報の対策に関連することを示すように定義付けられており、前記情報配信レベルが、前記情報配信レベルの“１”のビットに対応するビットが“１”の前記識別子を有する組織に前記地域情報が配信されるように定義付けられていてもよい。
【発明の効果】
【０００８】
本発明の地域情報管理研修システムおよび方法は、以下の効果を奏する。
（１）地域情報の収集，分析および周知などに関する社員の研修を効率的に行って、収集した地域情報を円滑な経営活動に効果的に活用する体制を容易に築くことができる。
（２）社員は、自分のレベルに応じた問題が出題されるため、段階的に地域情報の収集，分析および周知などに関する知識を取得することができるとともに、過去に正答した問題を何度も繰り返して回答することがないため、効率的に研修を受けることができる。
（３）地域情報を大分類および小分類に分類分けした地域情報分類表と地域情報の対策レベルおよび情報配信レベルを大分類および小分類ごとに示す地域情報対策表と組織ごとに識別子が予め決められた組織表とを用いて問題および回答肢を作成することにより、新たな地域情報が追加されても直ちにそれに関する問題および回答肢を作成することができる。
（４）地域情報の対策レベルおよび情報配信レベルの各ビットを組織ごとの識別子の各ビットと関連付けることにより、地域情報に関連した問題および回答肢を容易に作成することができる。
【発明を実施するための最良の形態】
【０００９】
地域情報の収集，分析および周知などに関する社員の研修を効率的に行うという目的を、研修を受ける社員の受験歴などを考慮して地域情報の収集，分析および周知などに関する問題を地域情報管理研修サーバによって作成することにより実現した。
【実施例１】
【００１０】
以下、本発明の地域情報管理研修システムおよび方法の実施例について図面を参照して説明する。
本発明の一実施例による地域情報管理研修システム１は、図１に示すように、地域情報管理研修サーバ１０と、地域情報管理研修サーバ１０に接続された社員情報データベース２０と、地域情報管理研修サーバ１０に接続された地域情報データベース２１と、地域情報管理研修サーバ１０に接続された地域情報分析マスターデータベース２２と、地域情報管理研修サーバ１０に接続された地域情報対策マスターデータベース２３と、地域情報管理研修サーバ１０に接続された組織データベース２４と、地域情報管理研修サーバ１０と社内ＬＡＮなどにより相互接続されたかつ研修を受ける社員（受験者）が使用する複数の端末装置（図１には第１乃至第３の端末装置３１〜３３のみ図示）とを備える。
【００１１】
社員情報データベース２０には、各社員の社員番号（社員識別子），過去の受験歴，過去に受けた試験の問題，その正答状況およびすべての問題を回答した後の成績が格納されている。
地域情報データベース２１には、各担当者が顧客などとの対話訪問，広報行事の実施など日常の広報・広聴活動および所管業務などを通じて収集して各自の組織の情報連絡責任者または情報管理者に連絡した地域情報が格納されている。
地域情報分析マスターデータベース２２には、地域情報を大分類および小分類に分けるとともに大分類および小分類にコードを付した地域情報分類表が格納されている。なお、本実施例による地域情報分類表は、表１に一例を示すような地域情報大分類表と、表２乃至表４に一例を示すような地域情報小分類表とに分けられている。ここで、表２に示す地域情報小分類表は、コードが“０１”の大分類「事業経営に係わる地域社会の出来事」についての小分類を示し、表３に示す地域情報小分類表は、コードが“０２”の大分類「地域社会に係わる業務運営上の出来事」についての小分類を示し、表４に示す地域情報小分類表は、コードが“０３”の大分類「社内に周知する事柄」についての小分類を示す。
【表１】
2005267315.tif 000003
【表２】
2005267315.tif 000004
【表３】
2005267315.tif 000005
表３．地域情報小分類表（その２）
【表４】
2005267315.tif 000006
【００１２】
地域情報対策マスターデータベース２３には、表５に一例を示すような地域情報対策表が格納される。ここで、地域情報対策表は、予め定められた地域情報の分類ごとの対策レベルおよび情報配信レベルを示すものである。なお、地域情報の分類ごとに対策レベルコードが付されている。また、後述するように、対策レベルおよび情報配信レベルの各ビットは、組織データベース２４に格納されている組織表に示された組織ごとの識別子（ＩＤ）の各ビットと関連付けられている。
【表５】
2005267315.tif 000007
【００１３】
組織データベース２４には、表６に一例を示すような組織ごとに識別子（ＩＤ）が予め決められた組織表が格納されている。ここで、識別子の各ビットは、表５に示した地域情報対策表の対策レベルおよび情報配信レベルの各ビットと次のように関連付けられている。すなわち、識別子は対策レベルおよび情報配信レベルと同じビット数で表され、対策レベルの“１”のビットに対応するビットが“１”の識別子を有する組織がこの地域情報の対策に関連することを示すように対策レベルが定義付けられているとともに、情報配信レベルの“１”のビットに対応するビットが“１”の識別子を有する組織にこの地域情報が配信されるように情報配信レベルが定義付けられている。
たとえば、表５の最上行の大分類コード“０１”および小分類コード“０１１”の地域情報については、対策レベルは“００１１１１００００００００００”であり、対策レベルの最上位ビットから３番目乃至６番目のビットが“１”であるため、識別子の最上位ビットから３番目のビットが“１”である対象組織「事業本部」，識別子の最上位ビットから４番目のビットが“１”である対象組織「部・課」，識別子の最上位ビットから５番目のビットが“１”である対象組織「支社」および識別子の最上位ビットから６番目のビットが“１”である対象組織「事業所」がこの地域情報の対策に関連していることを示す。
また、情報配信レベルは“１１１１１１０００００１００００”であり、情報配信レベルの最上位ビットから１番目乃至６番目のビットと１２番目のビットが“１”であるため、識別子の最上位ビットが“１”である対象組織「会長・社長」，識別子の最上位ビットから２番目のビットが“１”である対象組織「取締役」，識別子の最上位ビットから３番目のビットが“１”である対象組織「事業本部」，識別子の最上位ビットから４番目のビットが“１”である対象組織「部・課」，識別子の最上位ビットから５番目のビットが“１”である対象組織「支社」，識別子の最上位ビットから６番目のビットが“１”である対象組織「事業所」および識別子の最上位ビットから１２番目のビットが“１”である対象組織「広報部門」にこの地域情報は配信される。
【表６】
2005267315.tif 000008
【００１４】
次に、地域情報管理研修システム１の動作について、図２に示したフローチャートを参照して説明する。
研修を受ける社員（受験者）は、たとえば第１の端末装置３１から地域情報管理研修サーバ１０にログインする。地域情報管理研修サーバ１０は、図３に一例を示すような出題画面５０を第１の端末装置３１に送信して表示させる。社員は、第１の端末装置３１に表示された出題画面５０の図示左上の「受験者番号」の欄に自身の社員番号（社員識別子）を入力する。入力された社員番号は第１の端末装置３１から地域情報管理研修サーバ１０に送信される（ステップＳ１１）。
【００１５】
地域情報管理研修サーバ１０は、受信した社員番号に基づいて社員情報データベース２０を検索して、この社員の過去の受験歴，過去に受けた試験の問題およびその正答状況を取得したのち、この社員の受験歴を参照してこの社員の地域情報管理研修に関するレベルを判定するとともに、この社員の過去に受けた試験の問題およびその正答状況を参照してこの社員が未だ正答していない問題を抽出する。その後、地域情報管理研修サーバ１０は、地域情報データベース２１から地域情報を取り出して、取り出した地域情報に関するこの社員のレベルに合った問題（抽出した未だ正答していない問題や過去に受けていない問題など）と作成した問題に対する５つの回答肢（正答の肢を１つ含む。）とを以下のようにして作成する。
【００１６】
地域情報管理研修サーバ１０は、地域情報データベース２１から取り出した地域情報の内容を分析して、地域情報分析マスターデーベース２２に格納されている地域情報分類表（表１乃至表４参照）を参照して、取り出した地域情報が社内関係箇所に通知すべき情報か否かを判定したのち、取り出した地域情報が社内関係箇所に通知すべき情報である場合にはその地域情報を分類分けする（ステップＳ１２）。
たとえば、取り出した地域情報が「競合企業の活動状況情報」に関するものである場合には、地域情報管理研修サーバ１０は、表２に示した地域情報小分類表（その１）を参照して、この地域情報は社内関係箇所に通知すべき情報であると判定する。その後、地域情報管理研修サーバ１０は、表２に示した地域情報小分類表（その１）を参照してこの地域情報の小分類コードを“０１１”とするとともに、表１に示した地域情報大分類表を参照してこの地域情報の大分類コードを“０１”とする。
【００１７】
その後、地域情報管理研修サーバ１０は、この地域情報の分類に基づいて、地域情報対策マスターデータベース２３に格納されている地域情報対策表（表５参照）を参照してこの地域情報の対策コード，対策レベルおよび情報配信レベルを決定する（ステップＳ１３）。
たとえば、取り出した地域情報が「競合企業の活動状況情報」に関するものである場合には、地域情報管理研修サーバ１０は、この地域情報の大分類コード“０１”および小分類コード“０１１”に基づいて、表５に示した地域情報対策表を参照してこの地域情報の対策コードを“Ａ０００１”、対策レベルを“００１１１１００００００００００”、情報配信レベルを“１１１１１１０００００１００００”と決定する。
【００１８】
その後、地域情報管理研修サーバ１０は、決定した対策コード，対策レベルおよび情報配信レベルに基づいて、地域情報対策マスターデータベース２３に格納されている地域情報対策表（表５参照）および組織データベース２４に格納されている組織表（表６参照）を参照して、この地域情報を配信すべき組織を決定する（ステップＳ１４）。
たとえば、取り出した地域情報が大分類コード“０１”および小分類コード“０１１”の「競合企業の活動状況情報」に関するものである場合には、地域情報管理研修サーバ１０は、この地域情報の対策コードが“Ａ０００１”でありその対策レベルが“００１１１１００００００００００”であることから、表５に示した地域情報対策表を参照して、この地域情報は社内関係箇所に連絡すべき情報であると判断する。また、地域情報管理研修サーバ１０は、この地域情報の情報配信コードが“１１１１１１０００００１００００”（すなわち、情報配信コードの最上位ビットから１番目乃至６番目のビットと１２番目のビットが“１”）であるため、表６に示した組織表を参照して、識別子の最上位ビットが“１”である対象組織「会長・社長」，識別子の最上位ビットから２番目のビットが“１”である対象組織「取締役」，識別子の最上位ビットから３番目のビットが“１”である対象組織「事業本部」，識別子の最上位ビットから４番目のビットが“１”である対象組織「部・課」，識別子の最上位ビットから５番目のビットが“１”である対象組織「支社」，識別子の最上位ビットから６番目のビットが“１”である対象組織「事業所」および識別子の最上位ビットから１２番目のビットが“１”である対象組織「広報部門」にこの地域情報を配信すべきであると決定する。
なお、図４に一例を示すような地域情報連絡経路を予め決めておき、地域情報管理研修サーバ１０がこの地域情報連絡経路に関する問題を作成するようにしてもよい。
【００１９】
地域情報管理研修サーバ１０は、以上のようにして決定した地域情報の分類分け，対策コードや対策レベルや情報配信レベルおよびこの地域情報を配信すべき組織に基づいて、取り出した地域情報に関するこの社員のレベルに合った問題およびその正答の肢を１つ含む５つの回答肢を作成する（ステップＳ１５）。
これにより、社員は、各自のレベルに応じた問題が出題されるため、段階的に地域情報の収集，分析および周知などに関する知識を取得することができるとともに、過去に正答した問題を何度も繰り返して回答することがないため、効率的に研修を受けることができる。
【００２０】
その後、地域情報管理研修サーバ１０は、同様にして１０問の問題および各問題に対する正答の肢を１つ含む５つの回答肢を作成して、作成した問題および回答肢を第１の端末装置３１に送信する（ステップＳ１６）。
【００２１】
社員は、第１の端末装置３１に表示された出題画面５０の図示中央上の「問題Ｎｏ」欄に回答する問題の番号を入力して、その番号の問題を出題画面５０に表示させる。社員は、表示された問題を読んで、５つの回答肢の中から正答であると思われる回答が書かれている肢をクリックして選ぶ。このクリックされた情報は第１の端末装置３１から地域情報管理研修サーバ１０に送信される（ステップＳ１７）。
地域情報管理研修サーバ１０は、受信した回答の正否を判定したのち、その結果を第１の端末装置３１に送信して表示させる（図３の出題画面５０の図示左の表参照）。
このようにして１０問の問題すべてについて回答すると、社員は出題画面５０の図示右下の「回答終了」ボタンをクリックする。このクリックされた情報は第１の端末装置３１から地域情報管理研修サーバ１０に送信される。
地域情報管理研修サーバ１０は、「回答終了」ボタンがクリックされた情報を受信すると、採点したのち、採点した結果（採点結果）を第１の端末装置３１に送信して表示させるとともに（図３の出題画面５０の図示左下の欄参照）、社員情報データベース２１に格納する（ステップＳ１８）。
【００２２】
なお、社員が問題を解くのにヒントが欲しい場合には、地域情報管理研修サーバ１０から第１の端末装置３１にヒントを送信して表示させてもよい。すなわち、社員がヒントを欲しいと出題画面５０の図示右下の「ヒント」ボタンをクリックすると、地域情報管理研修サーバ１０が、出題画面５０の図示中央上にある「問題Ｎｏ」欄に表示されている問題番号に基づいてこの問題番号の問題のヒントを作成して、作成したヒントを第１の端末装置３１に送信して表示させるようにしてもよい。
また、以上の説明では、地域情報管理研修サーバ１０は、問題のほか５つの回答肢も作成したが、回答肢を作成せずに問題のみを第１の端末装置３１に送信して表示させ、社員にその問題の回答を第１の端末装置３１に入力させるようにしてもよい。
【００２３】
以上述べた地域情報管理研修方法と同様の研修方法を紙面でマニュアル化して、各受験者がこのマニュアルに従って研修を受けるようにすることもできる。
【産業上の利用可能性】
【００２４】
以上説明したように、本発明の地域情報管理研修システムおよび方法は、たとえば会社における地域情報の収集，分析および周知などに関する社員の研修に使用することができる。
【図面の簡単な説明】
【００２５】
【図１】本発明の一実施例による地域情報管理研修システムを説明するための概略ブロック図である。（実施例１）
【図２】図１に示した地域情報管理研修システム１の動作を説明するためのフローチャートである。（実施例１）
【図３】出題画面の一例を示す図である。（実施例１）
【図４】地域情報連絡経路の一例を示す図である。（実施例１）
【符号の説明】
【００２６】
１  地域情報管理研修システム
２０  社員情報データベース
２１  地域情報データベース
２２  地域情報分析マスターデータベース
２３  地域情報対策マスターデータベース
２４  組織データベース
３１〜３３  端末装置
Ｓ１１〜Ｓ１８  ステップ
【図１】
2005267315.tif 000009
【図２】
2005267315.tif 000010
【図３】
2005267315.tif 000011
【図４】
2005267315.tif 000012